(57)【要約】【課題】  筐体の上面に設けられた吹出口に、使用者が誤って上方から手をつくというような事態や、あるいは何らかの外力が作用したとしても、風向板の破損等を防止できる風向板保護装置と、これを備えた空気調和機を提供することを目的とする。【解決手段】  オゾン脱臭部の上方に、吹出口６に臨んで、周縁部に複数の桟により空気流通路２６を形成し、中央の基台部２５に断面略三角形状に形成された支持体２７を一体に立設したガード体２４を着脱自在に設けることにより、吹出口６に備えられた第一ルーバ７と第二ルーバ８とに、使用者が不注意に手を掛けたり、あるいは何らかの物体が落下したりした際、前記支持体２７が撓んだルーバを下方から支持するようにする。【選択図】図６
2007101066.tif 000002
【特許請求の範囲】
【請求項１】
本体に吸込口と吹出口とを設け、前記吹出口に、複数の風向板を回動自在に軸支してなる空気調和機において、
前記本体内に、前記吹出口に連なる空気流通路を備え、前記風向板が撓んだ際、これを支持する支持体を、異物落下防止のガード体に設けてなることを特徴とする空気調和機。
【請求項２】
前記吹出口に連なる側壁に、前記風向板が撓んだ際、これを支持するリブを突設してなることを特徴とする請求項１に記載の空気調和機。
【請求項３】
前記吹出口が前記本体の上面に設けられ、前記空気調和機が脱臭器であることを特徴とする請求項１に記載の空気調和機。
【発明の詳細な説明】
【技術分野】
【０００１】
本発明は、脱臭装置等の空気調和機に係わり、より詳細には、吹出口に設けられた風向板を外力から保護する構成に関する。
【背景技術】
【０００２】
吹出口に風向板を設けた従来の空気調和機として、例えば、図７（Ａ）で示す除湿機５０がある。同除湿機５０は、縦長状に形成された筐体５０の上面に、第一風向板５３と、第二風向板５４とを前後一対に備えた吹出口５２を設けており、前記第一風向板５３と第二風向板５４とを連動して上下方向に回動させることにより、室内に吹出す空気の方向を必要に応じて変更することができるようになっている。
【０００３】
前記第一風向板５３の支軸には、図７（Ｂ）の側面からの断面図で示すように、第一アーム５６を延設したクラッチ機構５５が装着され、前記第二風向板５４の支軸には第二アーム５７が装着されており、同第二アーム５７の先端部と、前記第一アーム５６の先端部とは、くの字状に形成されたリンク５８により連結されている。前記第一風向板５３がモータ等の駆動により回動すると、前記第一アーム５６、前記リンク５８、前記第二アーム５７を介して駆動力が伝達され、前記前記第二風向板５４が前記第一風向板５３と連動して回動するようになっている。
【０００４】
前記クラッチ機構５５は、図７（Ｃ）の正面からの断面図で示すように、前記前記第一風向板５３の支軸に接続された円盤状のクラッチ板と、前記第一アーム５６に接続された円盤状のクラッチ板受部とからなり、前記クラッチ板には突状部が形成され、前記クラッチ板受部には突状部に対応する溝部が形成されており、又、前記クラッチ板はスプリング等の付勢手段により前記クラッチ板受部に押圧されている。通常時は、突状部が溝部に噛合して駆動力が伝達されるようになっている（例えば、特許文献１参照）。
【０００５】
上記した構成により、前記第一風向板５３と、第二風向板５４とが連動して回動する際に、使用者の無理な扱いにより、第二風向板５４の回動が阻止されると、前記クラッチ板と、クラッチ板受部との接続が開放され、これにより連結機構や風向板の破損等が発生する不具合を防止するようになっている。
【０００６】
しかしながら、前記クラッチ機構５５等を備えると、吹出口の構造が複雑となる一方、筐体の上面に設けられた吹出口には、使用者が誤って上方から手をつくというような不測の事態が発生する場合があり、その様な場合でも、風向板の破損を防止できる機構が求められていた。
【０００７】
【特許文献１】特開２００１−２４８８９３号（４頁、図７）
【発明の開示】
【発明が解決しようとする課題】
【０００８】
本発明は、上記問題点に鑑み、筐体の上面に設けられた吹出口に、使用者が誤って上方から手をつくというような事態や、あるいは何らかの外力が作用したとしても、風向板の筐体からの脱落や破損等を防止できるガード体と、これを備えた空気調和機を提供することを目的とする。
【課題を解決するための手段】
【０００９】
本発明は、上記課題を解決するため、本体に吸込口と吹出口とを設け、前記吹出口に、複数の風向板を回動自在に軸支してなる空気調和機において、  前記本体内に、前記吹出口に連なる空気流通路を備え、前記風向板が撓んだ際、これを支持する支持体を、異物落下防止のガード体に設けてなる構成となっている。又、前記吹出口に連なる側壁に、前記風向板が撓んだ際、これを支持するリブを突設してなる構成となっている。又、前記吹出口が前記本体の上面に設けられ、前記空気調和機が脱臭器である構成となっている。
【発明の効果】
【００１０】
本発明によると、吹出口に備えられた第一ルーバと第二ルーバとを柔軟性の高い樹脂材から形成し、これらの両端部に突状部を形成した支軸を突設するとともに、前記吹出口のフランジ両側に前記突状部に対応する切欠きを設けた軸孔を穿設し、前記第一ルーバ及び第二ルーバを装着する際は、前記突状部を前記切欠きに対応させて、前記支軸を前記軸孔に挿入する。次にリンク部材により、これらルーバを連結させると、前記突状部が前記切欠きの位置から角度的に離間し、前記突状部が前記軸孔に係合された状態となることにより、前記第一ルーバと前記第二ルーバとは前記吹出口から容易に脱落しない構造となっている。又、オゾン脱臭部の上方に、前記吹出口に臨んで、周縁部に空気流通路を形成し、中央の基台部に支持体を立設したガード体を設けることにより、前記第一ルーバと前記第二ルーバとに、使用者が不注意により手を掛けたり、あるいは何らかの物体が落下したりした際、前記支持体が撓んだルーバを下方から支持することにより前記第一ルーバあるいは前記第二ルーバが破損するような不具合が発生する事態を防止するようになっている。又、吹出口に連なる前面内壁にリブを突設させ、前記第一ルーバが撓んだ際、これを下方から支持することにより、更に破損防止の効果を向上させるようになっている。
【発明を実施するための最良の形態】
【００１１】
以下、本発明の実施の形態を、添付図面に基づいた実施例として詳細に説明する。
【実施例１】
【００１２】
図１は、本発明による風向板保護装置を備えた空気調和機としての脱臭器を示す外観斜視図であり、図２はその断面図である。図３は吸着脱臭部を示す斜視図であり、図４はオゾン脱臭部を示す斜視図である。図５は風向板の装着を示す斜視図であり、図６はガード体を示す斜視図である。
【００１３】
本発明による風向板保護装置を備えた脱臭器は、図１の外観斜視図で示すように、樹脂材からなる、床面に立設可能な縦長状の本体１の前面中央に、横方向の桟を上下方向に連設して吸込口５を形成し、上面に、風向板としての第一ルーバ７と、第二ルーバ８とを備えた吹出口６を形成している。又、前記吸込口５の上方には運転状態等を表示する表示部１０が設けられ、前記吹出口６の前方には操作部９が夫々設けられている。
【００１４】
前記本体１は、前記吸込口５を形成した、後面が開放されたフロントパネル２と、前面と上面とが開放され、前記フロントパネル２が装着されるリアパネル３と、前記吹出口６を形成し下面が開放されたトップパネル４とから構成され、これらは螺着あるいは係合等により一体に組付られるようになっている。
【００１５】
前記本体１内には、図２の断面図で示すように、前記吸込口５の裏面に、集塵フィルタ１３と、触媒フィルタ１４と、活性炭フィルタ１５とを前後に積層した吸着脱臭部１２が設けられ、その背面側に、同吸着脱臭部１２を通過してきた空気を吸引し、上方に向けて吹出す送風ファン１７が設けられている。又、本体１内の上部には、オゾン脱臭部１８と、同オゾン脱臭部１８及び前記送風ファン１７等を制御する制御部１１と、前記吹出口６に臨んでガード体２４が設けられている。
【００１６】
前記吸着脱臭部１２は前記吸込口５から吸込まれた空気に含有される高濃度臭気成分を脱臭処理し、前記オゾン脱臭部１８は、オゾンを発生させて低濃度臭気成分を脱臭処理するようになっており、又、前記オゾン脱臭部１８は低濃度オゾンを前記吹出口６から室内に放出して、壁面、家具、衣服等に染みついた臭気成分を分解するようになっている。
【００１７】
前記吸着脱臭部１２は、図３で示すように、前面側から集塵フィルタ１３、触媒フィルタ１４、活性炭フィルタ１５を順次積層した三層構造に構成され、前記集塵フィルタ１３はプリーツ構造を有し、空気中に含有される塵埃、微粒子等を吸着するようになっている。前記触媒フィルタ１４はアンモニア吸着特性を有するゼオライトが配合されたフィルタ及びホルムアルデヒト分解特性を有する金属酸化物を含有するフィルタにより構成され、空気中に含有される汗臭等のアルデヒト系臭気、体臭等の脂肪酸臭気、アンモニア系臭気等を吸着するようになっている。又、同触媒フィルタ１４の前面側には蛇行状に加熱ヒータ１６が配設されおり、同加熱ヒータ１６の加熱により吸着された臭気成分の分解が促進されるようになっている。前記活性炭フィルタ１５は、前記触媒フィルタ１４で吸収しきれなかった臭気成分を吸着し、一時的に蓄積するようになっている。
【００１８】
前記オゾン脱臭部１８は、図４で示すように、内壁面に光触媒を塗布した箱体状のケース１９と、同ケース１９内に配設された紫外線ランプ２２とからなり、下面に複数の流入口２０を形成し、又、側面に複数の流出口２１を形成している。前記紫外線ランプ２２が起動され紫外線が発光されると周囲を流れる空気中にオゾンが発生し、同オゾンにより低濃度臭気成分が分解されるようになっている。又、内壁面に塗布された光触媒に紫外線が照射されると強力な臭気分解作用を有する水酸基ラジアルが発生するようになっている。
【００１９】
前記流入口２０には、フィン２３を左右に形成した桟が多数備えられており、流入した空気は前記フィン２３により乱流となって、前記紫外線ランプ２２により発生したオゾンと充分に混合され、脱臭効率を向上させるようになっている。又、前記ケース１９の天井面内壁には、略くの字形状に形成されたガイド部材１９ａが備えられており、同ガイド部材１９ａにより空気は左右方向に偏向されて、再度オゾンと混合され、前記流出口２１から流出するようになっている。
【００２０】
前記第一ルーバ７と前記第二ルーバ８とは柔軟性に富む柔らかい樹脂材から形成され、図５で示すように、前記トップパネル４の内側から同トップパネル４に形成された前記吹出口６に装着されるようになっている。前記第一ルーバ７の裏面には、略Ｚ字状に形成され、上部に挿入孔７ｂを穿設したリンクアーム７ａが延設され、その近傍には、半円状のリブと、同リブから外方に向けて突出され、先端部に矩形状の突状部７ｅを形成した支軸７ｄとからなる支軸部７ｃが設けられている。同様に、前記第二ルーバ８の裏面両端部にも、略Ｚ字状に形成され、上部に挿入孔８ｂを穿設したリンクアーム８ａが延設され、その近傍には、半円状のリブと、同リブから外方に向けて突出され、先端部に矩形状の突状部８ｅを形成した支軸８ｄとからなる支軸部８ｃが設けられている。
【００２１】
前記吹出口６の周縁部には、図５で示すように、内側に折曲されてフランジ６ａが形成されており、同フランジ６ａの前記支軸７ｄと前記支軸８ｄに対向する両側には、周縁部に切欠き４ｂ及び切欠き４ｄを設け、前記支軸７ｄと前記支軸８ｄとが支承される軸孔４ａ及び軸孔４ｃを穿設した半円状に突起したリブが形成されている。
【００２２】
前記第一ルーバ７を装着する際は、柔軟性に富む同部材を円弧状に撓ませ、前記突状部７ｅを前記切欠き４ｂに対応させて、前記支軸７ｄを前記軸孔４ａに挿入する。同様に、前記第二ルーバ８を円弧状に撓ませ、前記突状部８ｅを前記切欠き４ｄに対応させて、前記支軸８ｄを前記軸孔４ｃに挿入する。次に、コ字状に形成され両端部に、相対向する方向にピン２８ａ及びピン２８ｂを突設させたリンク部材２８を、前記ピン２８ａを前記リンクアーム８ａの挿入孔８ｂに挿入し、前記ピン２８ｂを前記リンクアーム７ａの挿入孔７ｂに夫々挿入することにより、前記第一ルーバ７と前記第二ルーバ８とを連結させる。
【００２３】
前記リンク部材２８の連結により前記第一ルーバ７と前記第二ルーバ８とは連動して回動動作を行うようになり、又、前記リンク部材２８の連結により前記支軸８ｄが所定角度回動して前記突状部８ｅが前記切欠き４ｄの位置から角度的に離間し、同様に、前記支軸７ｄが所定角度回動して前記突状部７ｅが前記切欠き４ｂの位置から角度的に離間することにより、前記突状部８ｅ、７ｅが前記軸孔４ａ、４ｃに係合された状態となることにより前記第一ルーバ７と前記第二ルーバ８とは前記吹出口６から容易に脱落しない構造となっている。
【００２４】
前記オゾン脱臭部１８の上方には、前記吹出口６に臨んで、図６（Ａ）で示す、矩形状に形成されたガード体２４が、前記本体１に着脱自在に装着されている。同ガード体２４は前記吹出口６に異物が落下し本体１内に侵入するのを防止するようになっており、その周縁部に、直交する多数の桟により空気流通路２６を形成し、中央の基台部２５には、断面略三角形状に形成された板状の支持体２７が一体となって形成され、その前部には注意銘板３０が貼着されている。
【００２５】
次に、前記ガード体２４の効果について説明する。図６（Ｂ）で示す断面図のように、前記吹出口６に備えられた前記第一ルーバ７と前記第二ルーバ８とに、使用者が不注意により手を掛けたり、あるいは何らかの物体が落下したりすると、柔軟性の高い部材から形成されたこれらルーバは、点線で示すように、大きく撓むこととなる。前記支軸部７ｃ及び前記支軸部８ｃは上記したように容易に前記吹出口６から脱落しない構造となっており、ルーバが破損する虞があるが、前記支持体２７が撓んだルーバを下方から支持することにより前記第一ルーバ７あるいは前記第二ルーバ８が破損するような不具合が発生する事態を防止するようになっている。
【００２６】
又、前記本体１の前面内壁には、リブ２９が突設されており、同リブ２９も、前記第一ルーバ７が撓んだ際、これを下方から支持するようになっている。尚、前記第一ルーバ７の後端縁の一部には補助リブ７ｆが突設され、前記第二ルーバ８の後端縁の一部にも補助リブ８ｆが突設されており、これらは前記第一ルーバ７及び前記第二ルーバ８に、何らかの原因により上方に向かう外力が発生した場合、相互に支持することにより破損を防止するようになっている。
【図面の簡単な説明】
【００２７】
【図１】本発明による風向板保護装置を備えた脱臭器を示す外観斜視図である。
【図２】脱臭器の断面図である
【図３】吸着脱臭部を示す斜視図である。
【図４】オゾン脱臭部を示す斜視図である。
【図５】風向板の装着を示す斜視図である。
【図６】（Ａ）はガード体を示す斜視図である。  （Ｂ）は、吹出口の断面図である。
【図７】（Ａ）は従来の空気調和機としての除湿機を示す外観斜視図である。  （Ｂ）は、リンク機構の側面図である。  （Ｃ）は、リンク機構の断面図である
【符号の説明】
【００２８】
１  本体
２  フロントパネル
３  リアパネル
４  トップパネル
４ａ  軸孔
４ｂ  切欠き
４ｃ  軸孔
４ｄ  切欠き
５  吸込口
６  吹出口
６ａ  フランジ
７  第一ルーバ
７ａ  リンクアーム
７ｂ  挿入孔
７ｃ  支軸部７
７ｄ  支軸
７ｅ  突状部  
７ｆ  補助リブ
８  第二ルーバ
８ａ  リンクアーム
８ｂ  挿入孔
８ｃ  支軸部７
８ｄ  支軸
８ｅ  突状部  
８ｆ  補助リブ
９  操作部
１０  表示部
１１  制御部
１２  吸着脱臭部
１３  集塵フィルタ
１４  触媒フィルタ
１５  活性炭フィルタ
１６  加熱ヒータ
１７  送風ファン
１８  オゾン脱臭部
１９  ケース
１９ａ  ガイド部材
２０  流入口
２１  流出口
２２  紫外線ランプ
２３  フィン
２４  ガード体
２５  基台部
２６  空気流通路
２７  支持体
２８  リンク部材
２８ａ、２８ｂ  ピン
２９  リブ
３０  注意銘板
【図１】
2007101066.tif 000003
【図２】
2007101066.tif 000004
【図３】
2007101066.tif 000005
【図４】
2007101066.tif 000006
【図５】
2007101066.tif 000007
【図６】
2007101066.tif 000008
【図７】
2007101066.tif 000009